(57)【要約】      （修正有）【課題】人体の頚部にしっかりと密着し、使用快適性を大きく向上可能とする頸椎マッサージ装置を提供する。【解決手段】第１本体１、第２本体２及び第３本体３を含み、第２本体と第３本体は動作可能に第１本体の両端に接続され、第１本体、第２本体及び第３本体の間には人体の頸部を収容するための収容領域が設けられ、第１本体には振動マッサージを可能とするマッサージ体４が設けられ、第１本体の内部には振動牽引機構が設けられ、マッサージ体は前記振動牽引機構に接続され、マッサージ体の端部には弾性の可撓性密着体が備えられる。【選択図】図１
2019134916.tif 000002
【特許請求の範囲】
【請求項１】
第１本体（１）、第２本体（２）及び第３本体（３）を含み、前記第２本体（２）と第３本体（３）は動作可能に第１本体（１）の両端に接続され、第１本体（１）、第２本体（２）及び第３本体（３）の間には人体の頸部を収容するための収容領域が設けられ、前記第１本体（１）には振動マッサージを可能とするマッサージ体（４）が設けられ、前記第１本体（１）の内部には振動牽引機構が設けられ、前記マッサージ体（４）は前記振動牽引機構に接続され、前記マッサージ体（４）の端部には弾性の可撓性密着体が備えられることを特徴とする頸椎マッサージ装置。
【請求項２】
前記第２本体（２）と第１本体（１）の間、前記第３本体（３）と第１本体（１）の間はいずれも回動可能に接続され、前記第２本体（２）と第１本体（１）の間、前記第３本体（３）と第１本体（１）の間にはいずれも弾性装置が設けられ、前記弾性装置は、前記第２本体（２）、第３本体（３）を第１本体（１）に対して前記収容領域へと湾曲させる作用力を有することを特徴とする請求項１に記載の頸椎マッサージ装置。
【請求項３】
前記第２本体（２）と第１本体（１）の接続部位、前記第３本体（３）と第１本体（１）の接続部位には、いずれも湾曲変形可能なスリーブ（５）が覆設されることを特徴とする請求項２に記載の頸椎マッサージ装置。
【請求項４】
前記振動牽引機構は、モータ振動牽引機構であることを特徴とする請求項１〜３のいずれかに記載の頸椎マッサージ装置。
【請求項５】
前記頸椎マッサージ装置は、更に電気パルス装置を含むことを特徴とする請求項１〜３のいずれかに記載の頸椎マッサージ装置。
【請求項６】
前記マッサージ体（４）は、装着ベース（４１）、装着ベース（４１）に設けられる発熱素子（４２）、及び装着ベース（４１）に設けられる伝動素子（４３）を含み、前記発熱素子（４２）は前記装着ベース（４１）と前記伝動素子（４３）の間に設けられることを特徴とする請求項４に記載の頸椎マッサージ装置。
【請求項７】
前記第１本体（１）は外側カバー（１１）と内側カバー（１２）を含み、前記外側カバー（１１）と内側カバー（１２）は係合又はネジにより組み合わされ、前記内側カバー（１２）には、マッサージ体（４）を伸出させる伸出孔（１３）が設けられることを特徴とする請求項１〜３のいずれかに記載の頸椎マッサージ装置。
【請求項８】
前記外側カバー（１１）と内側カバー（１２）の間には防水材が設けられることを特徴とする請求項７に記載の頸椎マッサージ装置。
【請求項９】
更に、リモコンを含むとともに、前記リモコンからの信号を受信又はフィードバック可能な制御装置が内部に設けられ、前記振動牽引機構と前記制御装置が電気接続又は信号接続されることを特徴とする請求項１〜３のいずれかに記載の頸椎マッサージ装置。
【請求項１０】
更に、磁気治療器を含むことを特徴とする請求項１〜３のいずれかに記載の頸椎マッサージ装置。
【発明の詳細な説明】
【技術分野】
【０００１】
本発明は頸椎マッサージ装置に関する。
【背景技術】
【０００２】
健康意識の高まりに伴い、頸椎マッサージ装置に対するニーズもまた増え続けている。頸椎マッサージ装置は人体の頚部疲労を緩和することで、マッサージによるヘルスケア効果を奏するものである。
【０００３】
現在市販されている頸椎マッサージ装置には、頸部への密着不良や頚部に対する過度の圧迫により不適切な使用が招来される等の課題があり、ユーザエクスペリエンスを大きく低下させている。
【発明の概要】
【発明が解決しようとする課題】
【０００４】
上述した従来技術における課題を解決すべく、本発明は、人体の頚部にしっかりと密着可能な頸椎マッサージ装置を提供し、人体における使用快適性を大きく向上可能とすることを目的とする。
【課題を解決するための手段】
【０００５】
上記の目的を達成するために、本発明では以下の技術方案を用いる。
【０００６】
頸椎マッサージ装置であって、第１本体、第２本体及び第３本体を含み、前記第２本体と第３本体は動作可能に第１本体の両端に接続され、第１本体、第２本体及び第３本体の間には人体の頸部を収容するための収容領域が設けられ、前記第１本体には振動マッサージを可能とするマッサージ体が設けられ、前記第１本体の内部には振動牽引機構が設けられ、前記マッサージ体は前記振動牽引機構に接続され、前記マッサージ体の端部には弾性の可撓性密着体が備えられる。
【０００７】
好ましくは、前記第２本体と第１本体の間、前記第３本体と第１本体の間はいずれも回動可能に接続され、前記第２本体と第１本体の間、前記第３本体と第１本体の間にはいずれも弾性装置が設けられ、前記弾性装置は、前記第２本体、第３本体を第１本体に対して前記収容領域へと湾曲させる作用力を有する。
【０００８】
好ましくは、前記第２本体と第１本体の接続部位、前記第３本体と第１本体の接続部位には、いずれも湾曲変形可能なスリーブが覆設される。
【０００９】
好ましくは、前記振動牽引機構はモータ振動牽引機構である。
【００１０】
好ましくは、前記頸椎マッサージ装置は更に電気パルス装置を含む。
【００１１】
好ましくは、前記マッサージ体は、装着ベース、装着ベースに設けられる発熱素子、及び装着ベースに設けられる伝動素子を含み、前記発熱素子は前記装着ベースと前記伝動素子の間に設けられる。
【００１２】
好ましくは、前記第１本体は外側カバーと内側カバーを含み、前記外側カバーと内側カバーは係合又はネジにより組み合わされ、前記内側カバーには、マッサージ体を伸出させる伸出孔が設けられる。
【００１３】
好ましくは、前記外側カバー（１１）と内側カバー（１２）の間には防水材が設けられる。
【００１４】
好ましくは、更にリモコンを含むとともに、前記リモコンからの信号を受信又はフィードバック可能な制御装置が内部に設けられ、前記振動牽引機構と前記制御装置が電気接続又は信号接続される。
【００１５】
好ましくは、更に磁気治療器を含む。
【発明の効果】
【００１６】
本発明では以上の技術方案を採用することで、マッサージ体が可撓性密着体を通じて人体の頚部にしっかりと密着する。また、マッサージ体は可撓性密着体の弾性により浮動可能となるため、マッサージ体が人体の頚部を過度に圧迫することがない。よって、人体における使用快適性を大きく高めることが可能となる。
【図面の簡単な説明】
【００１７】
【図１】図１は、本発明の分解図である。
【発明を実施するための形態】
【００１８】
以下に、本発明では技術手段をどのように応用して技術的課題を解決し、技術的効果を達成するかについて、実現過程が十分に理解され且つ実施可能となるよう、図１を組み合わせて本発明の実施形態につき詳述する。
【００１９】
図１に示すように、本発明の頸椎マッサージ装置は、第１本体１、第２本体２及び第３本体３を主に含む。第２本体２と第３本体３は動作可能に第１本体１の両端に接続されており、第１本体１、第２本体２及び第３本体３の間には人体の頸部を収容するための収容領域が設けられている。また、第１本体１には振動マッサージを可能とするマッサージ体４が設けられており、振動牽引機構が第１本体１の内部に設けられている。マッサージ体４と振動牽引機構は、弾性を有する可撓体６を介して伝動するよう接続されている。好ましくは、振動牽引機構はモータ振動牽引機構であり、可撓体６の材質は二酸化ケイ素である。マッサージ体４の端部には弾性の可撓性密着体が備えられ、可撓性密着体の弾性により浮動が実現される。また、可撓性密着体の材質は二酸化ケイ素であることが好ましい。
【００２０】
本実施例において、第２本体２と第１本体１の間、第３本体３と第１本体１の間は、いずれも回転軸によって回転可能に接続されている。また、第２本体２と第１本体１の間、第３本体３と第１本体１の間には、いずれも弾性装置が設けられている。当該弾性装置としては、ねじりバネ、引張バネ等が可能であり、第２本体２、第３本体３を第１本体１に対して収容領域へと湾曲させる作用力を発生可能であって、これらを収容領域側に近接した状態に維持できるものであればよい。第２本体２と第１本体１の接続部位、第３本体３と第１本体１の接続部位には、いずれも湾曲変形可能なスリーブ５が覆設されている。スリーブ５の材質としては、ゴムや二酸化ケイ素が可能である。
【００２１】
本実施例において、頸椎マッサージ装置は更に電気パルス装置を含む。マッサージ体４は、装着ベース４１、装着ベース４１に設けられる発熱素子４２、及び装着ベース４１に設けられる伝導素子４３を含む。発熱素子４２は、装着ベース４１と伝動素子４３の間に設けられている。
【００２２】
好ましくは、第１本体１は外側カバー１１と内側カバー１２を含み、外側カバー１１と内側カバー１２は係合又はネジにより組み合わされる。内側カバー１２には、マッサージ体４を伸出させる伸出孔１３が設けられている。また、防水を考慮して、外側カバー１１と内側カバー１２の間には防水材が更に設けられている。第２本体２及び第３本体３の構造は第１本体１と類似しており、外側カバーと内側カバーを係合又はネジにより接続して構成してもよいが、ここでは詳述しない。
【００２３】
本実施例において、頸椎マッサージ装置は更にリモコンを含む。また、頸椎マッサージ装置内には、リモコンからの信号を受信又はフィードバック可能な制御装置が設けられている。振動牽引機構は制御装置と電気接続又は信号接続されており、リモコンを通じて頸椎マッサージ装置の動作を自動制御可能となっている。また、頸椎マッサージ装置には更に、微調整及び手動調整しやすいようボタンが設けられている。
【００２４】
機能を多様化するために、前記頸椎マッサージ装置には、磁石を備えた磁気治療器を更に設けてもよい。
【００２５】
なお、いうまでもなく、本発明はその他の変更や改良を有してもよく、上述した実施形態の具体的構造に限定されない。本発明の保護の範囲には、当業者にとって自明な変更や置き換え、及び改良が含まれる。
【図１】
2019134916.tif 000003